(57)【要約】【課題】  倉庫業務において出庫指示のための検索処理を容易にし、在庫データのインデックス領域や検索ロジックの削減を図り、管理するデータ量を軽減することを目的とする。【解決手段】  出庫時における検索条件となる引当パターンを商品の種別毎に設定して検索パターンマスタを作成する工程と、入庫された商品に対して検索パターンマスタに登録されている引当パターンのうちのいずれを割り当てるかを受け付ける工程と、入庫された商品に対して割り当てられた引当パターンに基づいて、少なくとも検索条件に必要となる項目についての商品情報の入力を受け付けて在庫マスタを作成する工程と、商品に割り当てられた引当パターンに基づいて検索条件を設定し、在庫マスタに格納されている商品情報を検索して出庫情報登録を行う工程とを含む。【選択図】      図１
2005060034.tif 000002
【特許請求の範囲】
【請求項１】
出庫時における検索条件となる引当パターンを商品の種別毎に設定して検索パターンマスタを作成する工程と、
入庫された商品に対して前記検索パターンマスタに登録されている引当パターンのうちのいずれを割り当てるかを受け付ける工程と、
前記入庫された商品に対して割り当てられた引当パターンに基づいて、少なくとも検索条件に必要となる項目についての商品情報の入力を受け付けて在庫マスタを作成する工程と、
前記商品に割り当てられた引当パターンに基づいて検索条件を設定し、前記在庫マスタに格納されている商品情報を検索して出庫情報登録を行う工程と、
を含む在庫管理方法。
【請求項２】
前記在庫マスタは、入庫された商品の入庫情報で構成される通常項目と、割り当てられた引当パターンの検索条件に必要となる項目が前記通常項目から転記された検索キー項目とを含む、請求項１に記載の在庫管理方法。
【請求項３】
商品の種別に応じて出庫時における検索条件となる引当パターンの登録を受け付ける引当パターン受付部と、
前記引当パターン受付部により受け付けた商品の種別毎の引当パターンを登録する検索パターンマスタ格納部と、
前記入庫された商品に対して割り当てられた引当パターンに基づいて、少なくとも検索条件に必要となる項目についての商品情報の入力を受け付ける入庫情報受付部と、
前記入庫情報受付部で受け付けた商品情報を格納する在庫マスタ格納部と、
前記商品に割り当てられた引当パターンに基づいて検索条件を受け付ける検索条件受付部と、
前記検索条件受付部で受け付けた検索条件に基づいて前記在庫マスタ格納部に格納された商品情報を検索し検索結果を表示する出庫情報登録部と、
を備える在庫管理システム。
【請求項４】
前記在庫マスタ格納部は、入庫された商品の入庫情報で構成される通常項目と、割り当てられた引当パターンの検索条件に必要となる項目が前記通常項目から転記された検索キー項目とを含む商品情報を格納する、請求項３に記載の在庫管理システム。
【請求項５】
出庫時における検索条件となる引当パターンを商品の種別毎に設定して検索パターンマスタを作成するステップと、
入庫された商品に対して前記検索パターンマスタに登録されている引当パターンのうちのいずれを割り当てるかを受け付けるステップと、
前記入庫された商品に対して割り当てられた引当パターンに基づいて、少なくとも検索条件に必要となる項目についての商品情報の入力を受け付けて在庫マスタを作成するステップと、
前記商品に割り当てられた引当パターンに基づいて検索条件を設定し、前記在庫マスタに格納されている商品情報を検索して出庫情報登録を行うステップと、
を含む在庫管理方法をコンピュータに実行させるためのプログラム。
【発明の詳細な説明】
【技術分野】
【０００１】
本発明は、倉庫業務において在庫管理を行うための在庫管理システムおよび在庫管理方法に関する。
【背景技術】
【０００２】
倉庫業務において、複数の荷主・複数の商品を取り扱う場合、各荷主毎、各商品毎に管理項目が異なることから、出荷指示を行う際の検索キーが多種多様な内容となる。このような出庫業務においては、荷主毎、商品毎（あるいは商品群毎）に出庫指示用の検索キーを組み込んだ出庫ロジックを準備する必要がある。
【０００３】
従来では、以下に挙げるような解決方法を用いることで対応を行っている。
(1)荷主毎・商品毎（あるいは商品群毎）に出庫用インデックス（検索キー）を作成し、出庫商品の検索時にこの出庫用インデックスを用いて検索するロジックを組み込むことが考えられる。このような出庫用インデックスの作成は必須ではないが、検索の効率化を図るために作成する場合が多い。このように出庫用インデックスを作成する場合には、インデックス領域が膨大となり、在庫管理用のデータ容量が膨大になってしまうという問題がある。また、荷主毎、商品毎（あるいは商品群毎）にインデックスを切り分けたり、検索の終了条件を判断する出庫ロジックを組み込む必要があることから、ロジックが複雑になり、システムの開発量が増える。
(2)荷主毎、商品毎（あるいは商品群毎）に汎用キー項目を出庫条件項目として設定し、この汎用キー項目を出庫時における検索キーとしてロジックを組むことが考えられる。この場合、汎用キー項目は、表１に示すように、荷主毎、商品毎（あるいは商品群毎）に異なった項目が設定されることとなる。
【０００４】
【表１】
2005060034.tif 000003
このような場合、汎用キーに設定される項目は荷主毎、商品毎（あるいは商品群毎）に異なっており、同一の汎用キーを用いて複数の商品について検索を行うことが困難である。また、固定項目のデータとは独立して汎用キー項目が設定されるため、特定の意味を持つ汎用キー項目だけに限定して集計処理を行うような場合、その荷主毎、商品毎（あるいは商品群毎）に検索ロジックを用意する必要がある。
【発明の開示】
【発明が解決しようとする課題】
【０００５】
本発明では、倉庫業務において出庫指示のための検索処理を容易にし、在庫データのインデックス領域や検索ロジックの削減を図り、管理するデータ量を軽減するとともに、システム開発を軽減することを目的とする。
【課題を解決するための手段】
【０００６】
本発明に係る在庫管理方法は、出庫時における検索条件となる引当パターンを商品の種別毎に設定して検索パターンマスタを作成する工程と、入庫された商品に対して検索パターンマスタに登録されている引当パターンのうちのいずれを割り当てるかを受け付ける工程と、入庫された商品に対して割り当てられた引当パターンに基づいて、少なくとも検索条件に必要となる項目についての商品情報の入力を受け付けて在庫マスタを作成する工程と、商品に割り当てられた引当パターンに基づいて検索条件を設定し、在庫マスタに格納されている商品情報を検索して出庫情報登録を行う工程とを含む。
【０００７】
この場合、各商品に設定された引当パターンに基づく商品情報が検索条件に必要となる項目として入力されているため、出庫指示における検索が容易になるとともに、荷主毎や商品毎に商品情報の項目が異なっている場合であっても、同一の検索ロジックを用いて検索を行うことが可能となる。
【０００８】
ここで、在庫マスタは、入庫された商品の入庫情報で構成される通常項目と、割り当てられた引当パターンの検索条件に必要となる項目が通常項目から転記された検索キー項目とを含む構成とすることができる。
【０００９】
この場合、商品情報として入力された通常項目（固定項目）をそのままの状態で保持しつつ、検索用の検索キー項目を設定することが可能となる。
【００１０】
また、顧客毎に商品の基本情報、管理用品名コードおよび引当パターンコードを対応させた顧客品名マスタを作成する工程をさらに含む構成とすることができる。
【００１１】
この場合、顧客（荷主）毎に類似する商品の引当パターンを集約することができ、出庫指示時における検索処理が容易になる。
【００１２】
本発明に係る在庫管理システムは、商品の種別に応じて出庫時における検索条件となる引当パターンの登録を受け付ける引当パターン受付部と、引当パターン受付部により受け付けた商品の種別毎の引当パターンを登録する検索パターンマスタ格納部と、入力された商品に対して割り当てられた引当パターンに基づいて、少なくとも検索条件に必要となる項目についての商品情報の入力を受け付ける入庫情報受付部と、入庫情報受付部で受け付けた商品情報を格納する在庫マスタ格納部と、商品に割り当てられた引当パターンに基づいて検索条件を受け付ける検索条件受付部と、検索条件受付部で受け付けた検索条件に基づいて在庫マスタ格納部に格納された商品情報を検索し検索結果を表示する出庫情報登録部とを備える。
【００１３】
この場合、検索パターンマスタ格納部に格納された引当パターンに基づいて、商品情報の検索を行うことができ、出庫指示における検索が容易になるとともに、荷主毎や商品毎に商品情報の項目が異なっている場合であっても、同一の検索ロジックを用いて検索を行うことが可能となる。
【００１４】
ここで、在庫マスタ格納部は、入庫された商品の入庫情報で構成される通常項目と、割り当てられた引当パターンの検索条件に必要となる項目が通常項目から転記された検索キー項目とを含む商品情報を格納するように構成できる。
【００１５】
この場合、商品情報として入力された通常項目（固定項目）をそのままの状態で保持しつつ、検索用の検索キー項目を設定することが可能となる。
【００１６】
また、顧客毎に商品の基本情報、管理用品名コードおよび引当パターンコードを対応させた顧客品名マスタの登録を受け付ける顧客品名マスタ受付部と、顧客品名マスタ受付部で受け付けた顧客品名マスタを格納する顧客品名マスタ格納部とをさらに備える構成とすることができる。
【００１７】
この場合、顧客（荷主）毎に類似する商品の引当パターンを集約することができ、出庫指示時における検索処理が容易になる。
【００１８】
本発明に係るプログラムは、出庫時における検索条件となる引当パターンを商品の種別毎に設定して検索パターンマスタを作成するステップと、入庫された商品に対して検索パターンマスタに登録されている引当パターンのうちのいずれを割り当てるかを受け付けるステップと、入庫された商品に対して割り当てられた引当パターンに基づいて、少なくとも検索条件に必要となる項目についての商品情報の入力を受け付けて在庫マスタを作成するステップと、商品に割り当てられた引当パターンに基づいて検索条件を設定し、在庫マスタに格納されている商品情報を検索して出庫情報登録を行うステップとを含む在庫管理方法をコンピュータに実行させるためのプログラムである。
【００１９】
この場合、前述したような在庫管理方法をパーソナルコンピュータやワークステーションなどのコンピュータに実行させて、倉庫業務における在庫管理、出庫指示時の検索が容易になる。
【発明の効果】
【００２０】
本発明によれば、複数の荷主、複数の商品を扱う倉庫業務において、在庫管理を容易に行うことができ、出庫時における検索処理を確実かつ容易に行うことが可能となる。
【発明を実施するための最良の形態】
【００２１】
本発明の概要構成を図１に示す。
【００２２】
この在庫管理システムでは、引当パターン受付部１、検索パターンマスタ格納部２、顧客品名マスタ受付部３、顧客品名マスタ格納部４、入庫情報受付部５、在庫マスタ格納部６、検索条件受付部７、出庫情報登録部８などを備えている。
【００２３】
引当パターン受付部１は、商品の種別に応じて出庫時における検索条件となる引当パターンの登録を受け付ける。検索パターンマスタ格納部２は、引当パターン受付部１により受け付けた商品の種別毎の引当パターンを登録する。
【００２４】
顧客品名マスタ受付部３は、顧客毎に商品の基本情報、管理用品名コードおよび引当パターンコードを対応させた顧客品名マスタの登録を受け付ける。顧客品名マスタ格納部４は、顧客品名マスタ受付部３で受け付けた顧客品名マスタを格納する。
【００２５】
入庫情報受付部５は、入庫された商品に対して割り当てられた引当パターンに基づいて、少なくとも検索条件に必要となる項目についての商品情報の入力を受け付ける。在庫マスタ格納部６は、入庫情報受付部５で受け付けた商品情報を格納する。
【００２６】
検索条件受付部７は、商品に割り当てられた引当パターンに基づいて検索条件を受け付ける。出庫情報登録部８は、検索条件受付部７で受け付けた検索条件に基づいて在庫マスタ格納部６に格納された商品情報を検索し検索結果を表示する、または検索結果を引当処理に引き渡す。
【００２７】
図２に示されるように、引当パターン受付部１で受け付けた検索パターンマスタ２０は、引当パターンコード、検索項目１〜検索項目Ｎの各項目を備えるテーブルで構成される。各検索項目１〜検索項目Ｎには、検索キーとなる管理項目名と各管理項目毎の検索条件が設定できるように構成されており、たとえば、図３に示すような条件設定が可能なテーブルを備えている。ここでは、引当パターンコードが入力される引当パターンコード欄２１、検索に必要な項目名が設定される管理項目名欄２２、出庫入力の必須項目であるか否かを示す出庫時指定区分欄２３、検索項目未入力時の引当順位を指定するための引当順位欄２４、引当順位指定項目の昇順・降順を指定する昇順・降順欄２５などを備えている。
【００２８】
図４に示されるように、顧客品名マスタ受付部３で受け付けた顧客品名マスタ４０は、所属コード、寄託者コード、品名コード、品名、在庫管理項目、引当コードなどの項目を備えるテーブルで構成される。顧客品名マスタ受付部３では、たとえば、図５に示すような顧客品名マスタ登録画面４１を表示し、所属コード欄４２、寄託者コード欄４４、品名コード欄４６、品名欄４７、保管料欄４８、荷役料欄４９、引当パターンコード欄５０などの各入力欄へのデータ入力を受け付ける。入力された所属コードや寄託者コードに応じて、所属表示欄４３および寄託者名表示欄４５に対応する所属名や寄託者名が表示されるように構成されている。
【００２９】
顧客品名マスタ４０のうち、在庫管理項目欄では、在庫管理項目として、たとえば図６に示すように、業務依頼No.、Ref.No.、ブランド、商品コード、入荷先、証券No.、記号、EST、雑豆摘要、タイプ、入庫日、保険No.などの項目を選択できるように構成されている。
【００３０】
入庫情報受付部５では、たとえば、図７で示すような入庫情報登録画面５１を表示して、入庫情報の入力を受け付ける。ここでは、顧客品名マスタ４０に登録した品名コードを入力することで、該当する引当パターンに基づいた検索項目名を表示し、必要な商品情報を入力することができるように構成される。この例では、寄託者ABCの品名63000301に対して、商品コード、BRAND、賞味期限の検索キー項目の入力を受け付け、さらに、個数やその他の商品により必要な情報を登録可能な構成となっている。同様に、寄託者ABCの品名63000401に対して、商品コード、BRAND、製造年月日の検索キー項目の入力を受け付け、個数やその他の情報を登録可能な構成となっている。
【００３１】
このようにして、入庫情報受付部５により受け付けられた入庫情報は、入庫明細を管理する入庫ファイルとして管理されるとともに、在庫マスタ格納部６に在庫マスタとして格納される。図８に示されるように、在庫マスタ６０は、在庫管理No.欄、寄託者欄、入庫日欄、入庫No.欄、品名１欄、品名２欄、入数、製造日欄、賞味期限欄、引当残（個数）欄、在庫管理項目欄、荷主指定KEY欄などで構成されている。在庫管理項目欄は、入力された商品情報のうち顧客品名マスタ４０で設定された在庫管理項目に基づいて入力されたデータを登録するように構成されており、荷主指定KEY欄は、該当する引当パターンに基づいた検索項目１〜検索項目Ｎの内容が登録されるように構成されている。
【００３２】
検索条件受付部７では、図９に示すような出庫情報登録画面７０を表示して検索条件の入力を受け付ける。出庫情報登録画面７０では、商品に設定された引当パターンに基づいて検索キー項目を表示し、これに対する検索条件を入力できるように構成される。たとえば、品名コード63000301の商品に対しては、商品コード入力欄７２、BRAND入力欄７３、賞味期限入力欄７４を表示して検索条件となるデータ入力を受け付ける。同様にして、品名コード63000401の商品に対しては、商品コード入力欄７５、BRAND入力欄７６、製造年月日入力欄７７を表示して検索条件となるデータ入力を受け付ける。出庫登録画面７０で入力された検索条件で検索した結果は、図１０に示すような引当確認画面８０を表示することとなる。ここでは、賞味期限欄７４、製造年月日欄７７に対する検索条件の入力がない場合を例としている。
【００３３】
〈顧客品名マスタ、検索パターンマスタの管理〉
顧客品名マスタ、検索パターンマスタの管理の具体的な例について、図１１に基づいて説明する。
【００３４】
たとえば、寄託者ABCで扱っている商品は全て商品コードおよびBRANDを指定して出庫オーダがかかるような場合、寄託者ABCの商品に対する引当パターンの検索項目１を商品コードに設定し、検索項目２をBRANDに設定する。ここで、商品コード30301の商品については賞味期限の管理が必要であり、商品コード30401の商品については製造年月日の管理が必要であるとする。この場合、商品コード30301の商品については検索項目３を賞味期限に設定し、引当パターンコードをABCとして登録する。また、商品コード30401の商品については検索項目３を製造年月日に設定し、引当パターンコードをABDとして登録する。このことにより、顧客品名マスタ４０には、品名コード63000301（商品コード30301）に対して引当パターンコードABCが割りあてられ、品名コード63000401（商品コード30401）に対しては引当パターンコードABDが割り当てられたデータが登録される。また、検索パターンマスタ２０の引当パターンABCに対して、検索項目１、２にそれぞれ出庫時入力が必須である商品コードおよびBRANDが設定され、検索項目３に出庫時任意指定である賞味期限が設定される。同様に、検索パターンマスタ２０の引当パターンABDに対して、検索項目１、２にそれぞれ出庫時入力が必須である商品コードおよびBRANDが設定され、検索項目３に出庫時任意指定である製造年月日が設定される。
【００３５】
〈検索パターンマスタの設定〉
検索パターンマスタ２０の各項目の設定については図３に示すようなテーブルで設定されるが、その具体的な例を図１２に示す。
【００３６】
出庫時の検索の際に、通常、商品コードとBRANDが指定され、さらに指示がある時に指示された賞味期限、製造年月日の商品を出庫し、特に指示がない場合には、商品コード、BRANDで賞味期限の近い順、製造年月日の古い順に出庫する場合の引当パターンを図１２に示す。
【００３７】
この場合、引当パターンコードをA16とし、検索項目１に商品コード、検索項目２にBRAND、検索項目３に賞味期限、検索項目４に製造年月日を設定している。商品コードおよびBRANDは出庫時必須項目であるため、出庫時指定区分欄２３には必須であることを示す'1'が入力される。また、賞味期限、製造年月日については出庫時任意指定であるため、出庫時指定区分欄２３には任意指定である旨の'0'が入力され、引当順位欄２４には賞味期限が製造年月日よりも優先するために、賞味期限が'1'、製造年月日が'2'に設定され、さらに昇順・降順欄２５には、賞味期限、製造年月日のいずれも昇順であることを示す'A'が入力されている。
【００３８】
このような検索パターンマスタを用いて、図１３に示すような入庫情報が登録された場合を想定する。ここでは、商品コード30301の商品が賞味期限20061010で1000個入庫され、同じく商品コード30301の商品が賞味期限20061111で3500個入庫されたことを示している。このような入庫情報登録に基づく在庫マスタに対して、図１２の引当パターンコードA16を用いて、商品コード：30301、BRAND：BRAND-A、賞味期限：指定なし、製造年月日：指定なしを指定する場合を考える。この場合、入力画面が図１４に示すような出庫情報登録画面で示される。
【００３９】
図１４では、寄託者コードおよび品名コードが入力された後、入力された品名コードに対応付けられている引当パターンに基づいて出庫情報入力画面が表示され、出庫する商品の商品コード、BRAND、出庫したい個数が入力された状態である。この実行結果出力される確認画面は図１５のように構成される。商品コード30301は、対応付けられている引当パターンから賞味期限の古い順に引き当てられるため、入庫No.001-01の正味期限が20061010であるものが1000個と、入庫No.001-02の賞味期限が20061111であるものが200個、計1200個が引き当てられたことを示す。
【００４０】
〈荷主指定KEY〉
顧客品名マスタおよび検索パターンマスタは、荷主である寄託者（顧客）毎、並びに商品（商品群）毎に設定することができる。
【００４１】
たとえば、図１６に示すように、寄託者ABCの商品について、品名コード61000001と65000001の商品に対する検索キー項目が(1)商品コード、(2)BRANDであり、それ以外の品名コードの商品については商品コードと賞味期限であるような場合、図１７に示すような寄託者ABCに対する顧客品名マスタ４０１が作成される。同様にして、寄託者XYZの商品について、品名コード63000011の商品に対する検索キー項目が(1)商品コード、(2)賞味期限であり、それ以外の品名コードについては商品コードおよび製造年月日であるような場合には、図１７に示す寄託者XYZに対する顧客品名マスタ402が作成される。寄託者NNNの商品について引当パターンが品名コードに関係なく全て製造年月日とする場合には、図１７の寄託者NNNに対する顧客品名マスタ４０３が設定される。
【００４２】
各顧客品名マスタ４０１，４０２，４０３に設定されている引当パターンコードについては、図１８に示されるような検索パターンマスタ２０１が作成され登録される。
【００４３】
〈出庫情報登録画面〉
出庫情報登録画面は、図１９〜図２５に示すように遷移させることが可能である。
【００４４】
図１９に示すように、初期画面８００では、寄託者入力欄８０１を含む初期画面が表示される。ここでは、図１２の引当パターンA16が顧客品名マスタで当寄託者のデフォルト検索パターンとして設定されている場合を想定する。初期画面８００において寄託者入力欄８０１に寄託者コードが入力されると、図２０に示すような寄託者入力後画面８１０を表示する。寄託者入力後画面８１０では、品名入力欄８１１に対する入力待ちの状態となる。
【００４５】
寄託者入力後画面８１０において品名入力欄８１１への品名コードが入力されると、図２１に示すような第１品名入力後画面８２０を表示する。ここでは、入力された品名コードに基づいて顧客品名マスタを参照し、該当する検索キー項目の項目名を項目名表示欄８２１に表示するとともに、検索条件入力欄８２２への入力待ち状態に移行する。
【００４６】
第１品名入力後画面８２０において、検索条件入力欄８２２への入力がなされた場合、出庫値欄８２３への入力待状態に移行する。出庫値欄８２３への入力がなされた場合（本例では、個数入力欄のみが入力された例を示す）、図２２に示すような第１出庫情報入力後画面８３０に移行する。
【００４７】
第１出庫情報入力後画面８３０において、第２の品名コード入力欄８１２に対して品名コードが入力された場合には、第２品名入力後画面８４０に移行する。第２品名入力後画面８４０では、入力された品名コードに基づいて顧客品名マスタを参照し、該当する検索キー項目の項目名を項目名表示欄８４１に表示するとともに、検索条件入力欄８４２への入力待ち状態に移行する。
【００４８】
第２品名入力後画面８４０において、検索条件入力欄８４２への入力がなされた場合、出庫値欄８４３への入力待状態に移行する。出庫値欄８４３への入ｙろくがなされた場合、図２４に示すような第２出庫情報入力後画面８５０に移行する。
【００４９】
出庫情報が確定した場合には、図２５に示すような引当確認画面８６０に移行し、出庫情報の確定処理が行われる。
【００５０】
以上のようにして、複数の荷主や複数の商品について、検索ロジックを共用して出庫時の検索処理を容易にし、在庫管理を確実にすることができる。
【００５１】
＜付記＞
（付記１）
出庫時における検索条件となる引当パターンを商品の種別毎に設定して検索パターンマスタを作成する工程と、
入庫された商品に対して前記検索パターンマスタに登録されている引当パターンのうちのいずれを割り当てるかを受け付ける工程と、
前記入庫された商品に対して割り当てられた引当パターンに基づいて、少なくとも検索条件に必要となる項目についての商品情報の入力を受け付けて在庫マスタを作成する工程と、
前記商品に割り当てられた引当パターンに基づいて検索条件を設定し、前記在庫マスタに格納されている商品情報を検索して出庫情報登録を行う工程と、
を含む在庫管理方法。
【００５２】
（付記２）
前記在庫マスタは、入庫された商品の入庫情報で構成される通常項目と、割り当てられた引当パターンの検索条件に必要となる項目が前記通常項目から転記された検索キー項目とを含む、付記１に記載の在庫管理方法。
【００５３】
（付記３）
顧客毎に商品の基本情報、管理用品名コードおよび引当パターンコードを対応させた顧客品名マスタを作成する工程をさらに含む、付記１または２に記載の在庫管理方法。
【００５４】
（付記４）
商品の種別に応じて出庫時における検索条件となる引当パターンの登録を受け付ける引当パターン受付部と、
前記引当パターン受付部により受け付けた商品の種別毎の引当パターンを登録する検索パターンマスタ格納部と、
前記入力された商品に対して割り当てられた引当パターンに基づいて、少なくとも検索条件に必要となる項目についての商品情報の入力を受け付ける入庫情報受付部と、
前記入庫情報受付部で受け付けた商品情報を格納する在庫マスタ格納部と、
前記商品に割り当てられた引当パターンに基づいて検索条件を受け付ける検索条件受付部と、
前記検索条件受付部で受け付けた検索条件に基づいて前記在庫マスタ格納部に格納された商品情報を検索し検索結果を表示する出庫情報登録部と、
を備える在庫管理システム。
【００５５】
（付記５）
前記在庫マスタ格納部は、入庫された商品の入庫情報で構成される通常項目と、割り当てられた引当パターンの検索条件に必要となる項目が前記通常項目から転記された検索キー項目とを含む商品情報を格納する、付記４に記載の在庫管理システム。
【００５６】
（付記６）
顧客毎に商品の基本情報、管理用品名コードおよび引当パターンコードを対応させた顧客品名マスタの登録を受け付ける顧客品名マスタ受付部と、
前記顧客品名マスタ受付部で受け付けた顧客品名マスタを格納する顧客品名マスタ格納部と、
をさらに備える付記４または５に記載の在庫管理システム。
【００５７】
（付記７）
出庫時における検索条件となる引当パターンを商品の種別毎に設定して検索パターンマスタを作成するステップと、
入庫された商品に対して前記検索パターンマスタに登録されている引当パターンのうちのいずれを割り当てるかを受け付けるステップと、
前記入庫された商品に対して割り当てられた引当パターンに基づいて、少なくとも検索条件に必要となる項目についての商品情報の入力を受け付けて在庫マスタを作成するステップと、
前記商品に割り当てられた引当パターンに基づいて検索条件を設定し、前記在庫マスタに格納されている商品情報を検索して出庫情報登録を行うステップと、
を含む在庫管理方法をコンピュータに実行させるためのプログラム。
【産業上の利用可能性】
【００５８】
本発明によれば、出庫業務を容易にし、管理する必要のあるデータ量を削減することが可能となる。
【図面の簡単な説明】
【００５９】
【図１】本発明の概略構成を示すブロック図。
【図２】検索パターンマスタの説明図。
【図３】引当パターンのテーブルを示す説明図。
【図４】顧客品名マスタの説明図。
【図５】顧客品名マスタ登録画面の説明図。
【図６】在庫管理項目の説明図。
【図７】入庫情報登録画面の説明図。
【図８】在庫マスタの説明図。
【図９】出庫情報登録画面の説明図。
【図１０】引当確認画面の説明図。
【図１１】顧客品名マスタと検索パターンマスタの具体例を示す説明図。
【図１２】引当パターンの詳細項目設定の具体例を示す説明図。
【図１３】入庫情報登録の入力画面例を示す説明図。
【図１４】出庫情報登録の入力画面例を示す説明図。
【図１５】出庫情報登録の確認画面例を示す説明図。
【図１６】顧客毎の引当パターン設定の具体例を示す説明図。
【図１７】顧客品名マスタの具体例を示す説明図。
【図１８】検索パターンマスタの具体例を示す説明図。
【図１９】出庫情報登録画面の具体例を示す説明図。
【図２０】出庫情報登録画面の具体例を示す説明図。
【図２１】出庫情報登録画面の具体例を示す説明図。
【図２２】出庫情報登録画面の具体例を示す説明図。
【図２３】出庫情報登録画面の具体例を示す説明図。
【図２４】出庫情報登録画面の具体例を示す説明図。
【図２５】出庫情報登録画面の具体例を示す説明図。
【図１】
2005060034.tif 000004
【図２】
2005060034.tif 000005
【図３】
2005060034.tif 000006
【図４】
2005060034.tif 000007
【図５】
2005060034.tif 000008
【図６】
2005060034.tif 000009
【図７】
2005060034.tif 000010
【図８】
2005060034.tif 000011
【図９】
2005060034.tif 000012
【図１０】
2005060034.tif 000013
【図１１】
2005060034.tif 000014
【図１２】
2005060034.tif 000015
【図１３】
2005060034.tif 000016
【図１４】
2005060034.tif 000017
【図１５】
2005060034.tif 000018
【図１６】
2005060034.tif 000019
【図１７】
2005060034.tif 000020
【図１８】
2005060034.tif 000021
【図１９】
2005060034.tif 000022
【図２０】
2005060034.tif 000023
【図２１】
2005060034.tif 000024
【図２２】
2005060034.tif 000025
【図２３】
2005060034.tif 000026
【図２４】
2005060034.tif 000027
【図２５】
2005060034.tif 000028